(57)【要約】【課題】カメラ等の携帯機器から、離れた場所に設置されたテレビ等の表示機器に対して簡単にデータを送信でき、且つデータ送信時における携帯機器の電力消費を低減すること。【解決手段】通信信号送出制御部１９１は、近接通信部１８を介して通信信号を送出する。デジタルカメラ１は、この通信信号によってリモコン３の電源を投入し、リモコン３によってテレビ５を起動させる。また、表示制御部１９３は、記録部１６に記録されている撮影画像を表示部１５に表示する処理を行う。そして、制御部１９は、リモコン３との間で通信が確立した際に、表示部１５に表示中の撮影画像をリモコン３に送信する処理を行う。【選択図】図５
2010045684.tif 000002
【特許請求の範囲】
【請求項１】
画像データを記録する記録部を備え、該記録部に記録された画像データを表示機器に送信する携帯機器であって、
前記記録部に記録された画像データを表示部に表示処理する表示制御部と、
前記表示機器にデータを転送する転送用機器との間で近接無線通信を行う近接通信部と、
前記転送用機器を介して前記表示機器を起動するための通信信号を送出する送出制御部と、
前記表示部に表示中の画像データを前記転送用機器に送信処理する送信制御部と、
を備えることを特徴とする携帯機器。
【請求項２】
前記表示制御部は、前記送信制御部が前記画像データを前記転送用機器に送信処理した際に、前記表示部に表示している画像データを別の画像データの表示に切り換えることを特徴とする請求項１に記載の携帯機器。
【発明の詳細な説明】
【技術分野】
【０００１】
本発明は、携帯機器に関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示機器に表示するデジタルフォトフレームが実用化されている。
【０００３】
また、特許文献１には、テレビリモコンおよびデジタルカメラのいずれからの指示にも応答して起動可能であって、デジタルカメラで撮影した画像を表示することができるテレビが開示されている。
【０００４】
【特許文献１】特開２００７−１５８４０３号公報
【発明の開示】
【発明が解決しようとする課題】
【０００５】
しかしながら、上記のようにカメラで撮影した撮影画像をテレビ等の表示機器に送信して表示させる場合には、その都度カメラを表示機器とケーブル接続する等の作業が必要であり、手間であった。また、特許文献１の技術のように、カメラから離れた位置に設置されているテレビに対して撮影画像のデータを送信する構成では、データ送信時の消費電力が大きいという問題があった。
【０００６】
本発明は、上記に鑑みてなされたものであって、カメラ等の携帯機器から、離れた場所に設置されたテレビ等の表示機器に対して簡単にデータを送信でき、且つデータ送信時における携帯機器の電力消費を低減することができる携帯機器を提供することを目的とする。
【課題を解決するための手段】
【０００７】
上述した課題を解決し、目的を達成するため、本発明にかかる携帯機器は、画像データを記録する記録部を備え、該記録部に記録された画像データを表示機器に送信する携帯機器であって、前記記録部に記録された画像データを表示部に表示処理する表示制御部と、前記表示機器にデータを転送する転送用機器との間で近接無線通信を行う近接通信部と、前記転送用機器を介して前記表示機器を起動するための通信信号を送出する送出制御部と、前記表示部に表示中の画像データを前記転送用機器に送信処理する送信制御部と、を備えることを特徴とする。
【０００８】
また、本発明にかかる携帯機器は、上記の発明において、前記表示制御部は、前記送信制御部が前記画像データを前記転送用機器に送信処理した際に、前記表示部に表示している画像データを別の画像データの表示に切り換えることを特徴とする。
【発明の効果】
【０００９】
本発明によれば、近接通信部を介した近接無線通信によって転送用機器を介して表示機器を起動させ、表示部に表示中の画像データを転送用機器に送信して表示機器に転送させることができる。したがって、携帯機器から、離れた場所に設置された表示機器に対して簡単にデータを送信でき、且つデータ送信時における携帯機器の電力消費を低減することができる。
【発明を実施するための最良の形態】
【００１０】
以下、図面を参照し、本発明の好適な実施の形態について詳細に説明する。なお、この実施の形態によって本発明が限定されるものではない。また、各図面の記載において、同一部分には同一の符号を付して示している。
【００１１】
（実施の形態）
図１は、本発明の携帯機器を適用したデジタルカメラ１を含む画像送信システム１００の全体構成を示す概略模式図である。また、図２は、画像送信システム１００において、デジタルカメラ１からテレビ５へと転送用機器であるリモコン３を介してデータを送信する様子を示す図である。図１に示すように、画像送信システム１００は、デジタルカメラ１と、リモコン３と、リモコン３によって遠隔制御されるテレビ５とで構成される。
【００１２】
デジタルカメラ１は、カメラ本体１０の前面に撮像レンズ１１が配設されて構成され、この撮像レンズ１１を通して入射する被写体像を撮像する撮像部１２（図５を参照）を本体内部に備えている。また、カメラ本体１０の背面には表示部１５が配設されており、ユーザは、この表示部１５に表示されるライブビュー画像を見ながら撮影を行い、あるいは表示部１５に撮影した撮影画像を表示（再生）させて楽しむ。
【００１３】
リモコン３は、電波を発信してテレビ５等の制御対象機器の遠隔制御を行うものであり、例えばテレビ５の電源ＯＮ／ＯＦＦの切り換えやチャンネルの切り換え、音量の調節等を指示する制御信号をテレビ５に発信する。なお、以下では、表示機器の一例としてテレビ５を例にとって説明するが、表示部を備えた機器であれば同様に適用できる。ここで、リモコン３は、卓上等に据え置いて使用される電波リモコンを想定しており、前面に電波送受部３２を具備している。一方、テレビ５は、表示部５２を備えた前面にリモコン３からの制御信号を受信する電波送受部５６を具備している。
【００１４】
また、図２に示すように、デジタルカメラ１およびリモコン３は、それぞれ近接無線通信を行うための近接通信部１８，３４を備えている。デジタルカメラ１の近接通信部１８は、そのアンテナがカメラ本体１０の前面側に配置されるように具備される。一方、リモコン３の近接通信部３４は、そのアンテナが上面に配置されるように設けられており、互いに通信可能圏内に近接されると、デジタルカメラ１とリモコン３との間で通信が確立される。このように、本実施の形態では、近接通信部１８の配置によって通信時のカメラ本体１０の前後方向の姿勢を規定している。すなわち、リモコン３の上面に対してカメラ本体１０の前面側を対向させた状態でデジタルカメラ１をリモコン３に近づけると通信が確立される一方、リモコン３の上面に対してカメラ本体１０の背面側を近づけても通信が確立されない。
【００１５】
また、ユーザにとっては、撮影時や再生時と同様の要領でカメラ本体１０を保持してリモコン３に近づければよく、デジタルカメラ１の表示部１５が見える状態で通信が行える。これにより、通信の際、表示部１５の表示によって送受信の成否や送受したデータの内容等を容易に目視確認することができる。
【００１６】
そして、図２中に矢印Ａ１で示すように、デジタルカメラ１がリモコン３に近づけられてこれらの間で通信が確立すると、近接無線通信によってデジタルカメラ１で撮影された撮影画像のデータがリモコン３に送信される。このとき、デジタルカメラ１に記録されている全てのデータを送信することとしてもよいし、これらの中からユーザが指定したデータを送信することとしてもよい。本実施の形態では、デジタルカメラ１の表示部１５に順次撮影画像のデータを切り換えて表示し、表示している撮影画像のデータを順次リモコン３に送信するようになっている。続いて、デジタルカメラ１からリモコン３に送信されたデータがテレビ５に転送される。この結果、デジタルカメラ１で撮影された撮影画像をテレビ５の表示部５２に再生させ、鑑賞できるようになる。また、ユーザは、デジタルカメラ１で撮影した撮影画像をテレビ５等の大画面で鑑賞したい場合に、この撮影画像を表示部１５に表示させた状態でデジタルカメラ１をリモコン３に近づけるだけでよく、操作が簡単である。
【００１７】
ここで、テレビ５において放送番組の出力中にリモコン３からテレビ５に撮影画像のデータが転送された場合には、図２に示すように、テレビ５の表示部５２において、その表示画面が放送番組用の画面Ｗ１１と撮影画像用の画面（すなわち、外部入力用の画面）Ｗ１３とに２分割され、放送番組の映像データと、デジタルカメラ１からリモコン３を介して送信された撮影画像とが、各画面Ｗ１１，Ｗ１３にそれぞれ表示されるようになっている。このとき、例えば放送番組用の画面Ｗ１１を撮影画像用の画面Ｗ１３と比較して大きくしてもよいし、表示画面を等分割して各画面Ｗ１１，Ｗ１３としてもよい。これにより、放送番組を視聴しながら撮影画像を表示部５２に表示させることができ、放送番組の出力を中断させることなく撮影画像を閲覧することができる。
【００１８】
図３は、デジタルカメラ１、リモコン３およびテレビ５の動作を説明する説明図である。ここで、デジタルカメラ１は、その表示部１５に撮影画像を表示（再生）させた状態でリモコン３に近づけられることを前提している。図３に示すように、画像送信システム１００では先ず、リモコン３が起動する（ｔ１）。続いて、テレビ５が起動し（ｔ２）、テレビ５が起動処理を行っている間に、デジタルカメラ１がリモコン３に対して撮影画像のデータを送信する（ｔ３）。そして、デジタルカメラ１は、テレビ５の起動完了を待って、表示部１５における撮影画像の表示を自動的に別の撮影画像（例えば撮影順が次順の撮影画像）に切り換える（ｔ５）。そして、この後、リモコン３は、デジタルカメラ１から送信された撮影画像のデータをテレビ５に転送する（ｔ６）。
【００１９】
このように、テレビ５が起動している間にデジタルカメラ１からリモコン３への撮影画像のデータ送信を行うとともに、テレビ５が起動処理を完了して撮影画像の受信や表示が可能な状態になった時点で、デジタルカメラ１の表示部１５に表示中（再生中）の撮影画像を切り換えることができる。これにより、効率的にデータの転送を行うことができ、ユーザは、テレビ５が起動している間中リモコン３に対してデジタルカメラ１を近づけた状態を保ち続けて待機する必要がない。なお、テレビ５の起動完了時には表示部１５における撮影画像の表示を自動的に切り換えるが、同時にユーザによる切り換え操作を受け付けるようにしてもよい。そして、切り換え操作に応じて、指定された撮影画像を表示するようにしてもよい。この場合には、ユーザは、テレビ５が起動している時間を利用し、デジタルカメラ１を操作してテレビ５に次に送信し表示させたい撮影画像を選択することができる。
【００２０】
図４は、画像送信システム１００で行われる通信の概要を説明する図である。図５に示すように、リモコン３は、デジタルカメラ１が送出している通信信号を受信すると（Ｓ１）、自機の電源を投入した後、テレビ５に起動信号を発信する（Ｓ３）すなわち、デジタルカメラ１は、無線信号の送出によって、リモコン３を介してテレビ５を起動する。そして、デジタルカメラ１に受信を通知する（Ｓ５）。これによって、デジタルカメラ１とリモコン３との間で通信が確立する。これに応答してデジタルカメラ１は、表示中の撮影画像のデータをリモコン３に送信する（Ｓ７）。またこのとき、デジタルカメラ１は、外部入力受付要求をリモコン３に送信するようになっている。
【００２１】
ここで、リモコン３は、テレビ５が起動処理を完了（電源ＯＮ）するまで待機状態となる。そして、テレビ５の起動が完了すると（Ｓ９）、このテレビ５の起動完了をデジタルカメラ１に通知するとともに（Ｓ１１）、Ｓ７の工程によって受信した撮影画像をテレビ５に転送する（Ｓ１１）。また、データの転送時、リモコン３は、デジタルカメラ１から送信される外部入力受付要求に応答し、電波送受部３２を介してテレビ５に外部入力指示信号を送信するとともに、近接通信部３４を介して受信したデータの通信方式を、電波送受部３２を介したデータの通信方式に変換する。そして、テレビ５は、Ｓ１３の工程によって受信した撮影画像を表示部５２に表示する。
【００２２】
一方、テレビ５の起動完了を受信（Ｓ１１）したデジタルカメラ１は、表示中の撮影画像を切り換えて別の撮影画像を表示部１５に表示する。そして、表示中の撮影画像のデータをリモコン３に送信する（Ｓ１５）。これに応答して、リモコン３は、Ｓ７の工程によって受信した撮影画像をテレビ５に転送するとともに（Ｓ１７）、デジタルカメラ１に待機状態を通知する（Ｓ１９）。この待機状態を受信したデジタルカメラ１は、表示中の撮影画像を切り換えて別の撮影画像を表示部１５に表示する。そして、表示中の撮影画像のデータをリモコン３に送信する（Ｓ２１）。これに応答して、リモコン３は、Ｓ７の工程によって受信した撮影画像をテレビ５に転送する（Ｓ２３）。以下、これを繰り返し行い、デジタルカメラ１とテレビ５との間で複数の撮影データの送受を行う。
【００２３】
図５は、デジタルカメラ１、リモコン３およびテレビ５の主要内部構成の一例を示すブロック図である。図５に示すように、デジタルカメラ１は、撮像部１２、画像処理部１３、操作部１４、表示部１５、記録部１６、時計部１７、近接通信部１８、制御部１９等を備える。
【００２４】
撮像部１２は、撮像レンズ１１を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２５】
画像処理部１３は、撮像部１２から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。この画像処理部１３は、画素数を増減させて画像データを拡大または縮小させるリサイズ処理リサイズ部１３を備える。本実施の形態では、リサイズ部１３は、テレビ５の解像度に応じて画素数を増減させて撮影画像の画像データをリサイズ処理する。
【００２６】
操作部１４は、撮影の開始指示、撮影モードや再生モード、通信モードといったモードの選択操作、撮影条件の設定操作等、ユーザによる各種操作を受け付けて操作信号を制御部１９に通知するためのものである。
【００２７】
表示部１５は、撮影された撮影画像やライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影画像が表示される。
【００２８】
記録部１６は、デジタルカメラ１を動作させ、このデジタルカメラ１が備える種々の機能を実現するための各種のカメラプログラムや、このカメラプログラムの実行中に使用されるデータ等を記録しておくためのものである。また、デジタルカメラ１から送信された撮影画像のデータを一時的に記録しておくためのものである。この記録部１６は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００２９】
時計部１７は、日付および時刻を計時するためのものである。この時計部１７が計時する現在時刻によって、撮影画像の撮影日および撮影時刻が特定され、撮影画像のデータは、撮影日および撮影時刻とともに記録部１６に記録されるようになっている。
【００３０】
近接通信部１８は、リモコン３との間で近接無線通信を行うためのものであり、アンテナによってリモコン３の近接通信部３４との間で電波信号を送受信し、受信信号を復調処理するとともに、送信信号を変調処理する送受信回路等を備える。この近接通信部１８からは、その存在を報知する通信信号が定期的に送出されるようになっている。通信信号は、リモコン３の電源を投入し、このリモコン３によってテレビ５を起動させるためのものであり、この通信信号によってリモコン３を電源投入できるようにしている。
【００３１】
制御部１９は、ＣＰＵ等で実現され、操作部１４からの操作信号等に応じて記録部１６からカメラプログラムを読み出して実行し、デジタルカメラ１を構成する各部に対する指示やデータの転送等を行ってデジタルカメラ１の動作を統括的に制御する。この制御部１９は、送出制御部としての通信信号送出制御部１９１と、表示制御部１９３とを含み、上記したカメラプログラムは、制御部１９を通信信号送出制御部１９１および表示制御部１９３として機能させるためのプログラムを含む。通信信号送出制御部１９１は、近接通信部１８を介して定期的に通信信号を送出する。表示制御部１９３は、記録部１６に記録されている撮影画像を表示部１５に表示処理するとともに、表示制御部１９３が表示部１５に表示中の撮影画像をリモコン３に送信処理した場合に再生処理を行い、表示中の撮影画像を切り換えて別の撮影画像を表示する処理を行う。
【００３２】
一方、リモコン３は、図５に示すように、操作部３１、電波送受部３２、記録部３３、近接通信部３４、振動検出部３５、制御部３６等を備える。
【００３３】
操作部３１は、例えばボタンスイッチやダイヤル等の各種入力装置によって実現されるものであり、操作入力に応じた操作信号を制御部３６に出力する。例えば、テレビ５の電源ＯＮ／ＯＦＦの切り換え操作、チャンネルの切り換えや音量調節等のテレビ操作、インターネットの接続操作、記録部３３に記録されているコンテンツの再生操作、コンテンツの記録操作、撮影画像の拡大表示操作等を入力するためのものである。
【００３４】
記録部３３は、リモコン３を動作させ、このリモコン３が備える種々の機能を実現するためのプログラムや、このプログラムの実行中に使用されるデータ等を記録しておくためのものである。また、デジタルカメラ１から送信された撮影画像の画像データを一時的に記録しておくためのものである。この記録部３３は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００３５】
近接通信部３４は、デジタルカメラ１との間で近接無線通信を行うためのものであり、アンテナによってデジタルカメラ１の近接通信部１８との間で電波信号を送受信し、受信信号を復調処理するとともに、送信信号を変調処理する送受信回路等で構成される。この近接通信部３４は、デジタルカメラ１から送出される通信信号を受信することでアンテナに生じた電磁誘導によって、停止状態または待機状態にある制御部３６を起動する起動部３６１を備えている。
【００３６】
電波送受部３２は、制御部３６の制御のもと、テレビ５の動作を遠隔制御するための制御信号を発信する。操作部３１を介した電源切換信号やテレビ操作に応じた番組出力指示信号、インターネット接続操作に応じたインターネット接続指示信号、コンテンツ再生操作に応じたコンテンツ再生指示信号、コンテンツ再生操作に応じたコンテンツ再生指示信号、コンテンツ記録操作に応じたコンテンツ記録指示信号、テレビ５の表示部５２に表示されている撮影画像の拡大表示指示信号等の各種制御信号をテレビ５に発信する。また、電波送受部３２は、制御部３６の制御のもと、デジタルカメラ１から送信された撮影画像のデータ信号をテレビ５に発信する。また、この電波送受部３２は、制御部３６の制御のもと、テレビ５から発信される起動完了通知を受信する。
【００３７】
振動検出部３５は、振動センサ等で実現され、例えば、リモコン３が卓上等の載置されている状態を判定する際等に使用される。あるいは、リモコン３の本体の振動によって操作入力を行う場合に使用される。
【００３８】
制御部３６は、ＣＰＵ等で実現され、操作部３１から入力される操作信号、記録部３３に記録されるプログラムやデータ等に基づいてリモコン３を構成する各部への指示やデータの転送等を行い、リモコン３の動作を統括的に制御する。この制御部３６は、転送制御部３６を含み、近接通信部３４を介してデジタルカメラ１から送信された撮影画像のデータを受信し、テレビ５に転送する処理を行う。
【００３９】
また、テレビ５は、図５に示すように、操作部５１、表示部５２、放送受信部５３、通信部５４、記録部５５、電波送受部５６、制御部５７等を備える。
【００４０】
操作部５１は、例えば、キーボードやマウス、タッチパネル、ボタンスイッチ等の各種入力装置によって実現されるものであり、操作入力に応じた操作信号を制御部５７に出力する。表示部５２は、ＬＣＤやＥＬディスプレイ等の表示装置によって実現されるものであり、制御部５７から入力される表示信号に基づいて各種画面を表示する。
【００４１】
放送受信部５３は、放送局から送出される放送番組の放送波を受信するためのものである。この放送受信部５３は、アンテナやチューナ等で構成され、アンテナによって受信された放送信号の中から選択されたチャンネルの信号を選局し、復調処理等の信号処理を行って放送番組の映像データおよび音データを制御部５７に出力する。
【００４２】
通信部５４は、インターネットへの接続等の処理を行うためのものであり、ネットワークＮを介して接続される他の装置との間でデータ通信を行う。ここで、ネットワークＮは、例えば、インターネットおよびインターネットに接続するための各種通信回線と、それらを接続するインターネットプロバイダ等を含む。
【００４３】
記録部５５は、テレビ５を動作させ、このテレビ５が備える種々の機能を実現するためのプログラムや、このプログラムの実行中に使用されるデータ等を記録しておくためのものであり、インターネットに接続する等して取得したコンテンツデータ、デジタルカメラ１から送信されてリモコン３によって転送された撮影画像のデータ等を記録しておくためのものである。この記録部５５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４４】
電波送受部５６は、リモコン３から発信される制御信号を受信するためのものであり、受信した制御信号を制御部５７に出力する。また、この電波送受部５６は、制御部５７の制御のもと、起動処理の終了時にリモコン３に対して起動完了通知を発信する。
【００４５】
制御部５７は、ＣＰＵ等で実現され、電波送受部５６を介してリモコン３から受信したデータ、操作部５１から入力される操作信号、記録部５５に記録されるプログラムやデータ等に基づいてテレビ５を構成する各部への指示やデータの転送等を行い、テレビ５の動作を統括的に制御する。
【００４６】
次に、デジタルカメラ１が行う処理手順について説明する。図６は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップａ１：Ｙｅｓ）、制御部１９は、撮像部１２を起動して画像を取り込み（ステップａ３）、取り込んだ画像をライブビュー画像として表示部１５に表示する処理を行う（ステップａ５）。そして、撮影指示がない間は（ステップａ７：Ｎｏ）、ステップａ３に戻って処理を繰り返し、ライブビュー画像を１フレーム毎に更新表示させる。そして、レリーズスイッチ５が押下されて撮影が指示された場合には（ステップａ７：Ｙｅｓ）、撮影処理を行って、生成した撮影画像を記録部１６に記録する（ステップａ１１）。そして、制御部１９は、撮影画像の記録を終えると、ステップａ３５に移行する。
【００４７】
一方、現在のモードが撮影モードではなく（ステップａ１：Ｎｏ）、再生モードの場合には（ステップａ１３：Ｙｅｓ）、表示制御部１９３は、記録部１６に記録された撮影画像の再生処理を行い、撮影画像を順次再生画像として切り換えて表示部１５に表示する（ステップａ１５）。このとき、過去に撮影された撮影画像を先ずサムネイル形式で一覧表示させることとしてもよい。そして、一覧の中から選択された撮影画像を再生画像として再生表示することとしてもよい。
【００４８】
この再生モード中において、制御部１９は、操作部１４に対する操作入力によって送信指示操作の入力を受け付ける。そして、送信指示操作があった場合には（ステップａ１７：Ｙｅｓ）、通信信号送出制御部１９１が、近接通信部１８を起動して定期的な通信信号の送出を開始するとともに（ステップａ１９）、タイマを起動して計時処理を開始する（ステップａ２０）。このタイマは、通信信号の送出を開始してからの経過時間を計時するためのものである。そして、デジタルカメラ１とリモコン３との間で通信が確立すると（ステップａ２１：Ｙｅｓ）、制御部１９が外部入力受付要求をリモコン３に送信し、続いて画像処理部１３においてリサイズ部１３１が、表示中の撮影画像をテレビ５の解像度に応じたサイズにリサイズ処理する（ステップａ２３）。続いて、制御部１９が、表示中の撮影画像のデータをリモコン３に送信する処理を行い（ステップａ２４）、近接通信部１８をＯＦＦする（ステップａ２７）。そして、表示制御部１９３が、再生処理を行って、表示中の撮影画像を例えば撮影日時が次順の撮影画像に切り換えて表示部１５に表示する（ステップａ２８）。その後、ステップａ２９に移る。
【００４９】
一方、デジタルカメラ１とリモコン３との間で通信が確立しない間は（ステップａ２１：Ｎｏ）、通信信号送出制御部１９１が、ステップａ２０で起動したタイマの計時を判定する。そして、通信を確立してから所定時間が経過しない間は（ステップａ２５：Ｎｏ）、ステップａ２９に移行する。一方、通信を確立してから所定時間が経過した場合には（ステップａ２５：Ｙｅｓ）、通信信号送出制御部１９１が、タイマをリセットする（ステップａ２６）。そして、通信信号送出制御部１９１が、ステップａ２７に移って近接通信部１８をＯＦＦする。
【００５０】
ステップａ２９では、再生する撮影画像の選択操作を受け付ける。そして、選択操作があれば（ステップａ２９：Ｙｅｓ）、通信信号送出制御部１９１が、タイマをリセットし（ステップａ３０）、近接通信部１８をＯＦＦする（ステップａ３１）。そして、表示制御部１９３が、再生処理を行って、表示中の撮影画像を選択された撮影画像に切り換えて表示部１５に表示する（ステップａ３２）。その後、ステップａ１７に戻る。また、再生する撮影画像の選択操作がない場合には（ステップａ２９：Ｎｏ）、ステップａ３３に移行する。
【００５１】
ステップａ３３では、制御部１９は、再生モードの終了判定を行い、終了する場合には（ステップａ３３：Ｙｅｓ）、ステップａ３５に移行する。再生モードを終了しない場合には（ステップａ３３：Ｎｏ）、制御部１９は、ステップａ１７に戻る。
【００５２】
このように、再生モードでは、送信指示がある度に通信信号の送出を開始し、通信信号の送出を開始してから所定時間が経過するまでの間にテレビ５との間で通信が確立すれば、表示中の撮影画像をテレビ５に送信する。一方、通信信号の送出を開始してから所定時間が経過するまでの間にテレビ５との間で通信が確立しない場合には、近接通信部１９をＯＦＦする。これにより、通信信号の送出に伴う電力消費を低減することができる。
【００５３】
そして、ステップａ３５では、基本処理を終了するか否かを判定する。例えば、操作部１４に対する操作入力によって電源ＯＦＦが指示された場合には、本処理を終える（ステップａ３５：Ｙｅｓ）。一方、終了しない場合には（ステップａ３５：Ｎｏ）、ステップａ１に戻る。
【００５４】
次に、リモコン３が行う処理手順について説明する。図７は、リモコン３が行う基本処理の手順を示すフローチャートである。図７に示すように、通信信号を送出しているデジタルカメラ１の近接通信部１８がリモコン３の近接通信部３４の通信可能圏内に近接されると、この通信信号の受信によって近接通信部３４のアンテナに電磁誘導が生じ、デジタルカメラ１との間で通信が確立する（ステップｂ１：Ｙｅｓ）。詳細にはこのとき、近接通信部３４の起動部３４１が、アンテナに生じた電磁誘導によって制御部３６を起動し、リモコン３の電源がＯＮされる（ステップｂ３）。
【００５５】
続いて、制御部３６が、電波送受部３２を介してテレビ５にＯＮ信号を発信する（ステップｂ５）。また、近接通信部３４を介してデジタルカメラ１から送信された撮影画像のデータを受信すると（ステップｂ７：Ｙｅｓ）、転送制御部３６１が、この撮影画像のデータを一時的に記録部３３に記録する（ステップｂ９）。そして、転送制御部３６１は、起動処理を終えたテレビ５から発信される起動完了を受信するまで待機状態となり、受信したならば（ステップｂ１１：Ｙｅｓ）、このテレビ５の起動完了をデジタルカメラ１に通知するとともに（ステップｂ１３）、ステップｂ７で受信してステップｂ９で一時記録していた撮影画像のデータ信号を、電波送受部３２を介してテレビ５に発信する処理を行って転送する（ステップｂ１５）。また、データの転送時、転送制御部３６１は、デジタルカメラ１から送信される外部入力受付要求に応答し、電波送受部３２を介してテレビ５に外部入力指示信号を送信するとともに、近接通信部３４を介して受信したデータの通信方式を、電波送受部３２を介したデータの通信方式に変換する。
【００５６】
その後、転送制御部３６１は、近接通信部３４を介してデジタルカメラ１から送信された撮影画像のデータを受信するまで待機状態となり、受信した場合に（ステップｂ１７：Ｙｅｓ）、電波送受部３２を介して受信した撮影画像のデータ信号をテレビ５に発信して転送する（ステップｂ１９）。
【００５７】
なお、このステップｂ１７（Ｙｅｓ）〜ステップｂ１９の処理中にリモコン操作があった場合には、一旦撮影画像の転送を中断し、リモコン操作を優先してテレビ５の動作制御を行うようにしてもよい。そして、このリモコン操作に応じたテレビ５の動作制御の後、ステップｂ１７に戻って撮影画像の受信を受け付けて、処理を再開するようにしてもよい。
【００５８】
また、制御部３６は、リモコン操作（操作部３１に対する操作入力）があった場合には（ステップｂ２１：Ｙｅｓ）、電波送受部３２を介して操作入力に応じた制御信号を発信するための処理を行う（ステップｂ２３）。ここでの処理によって、例えば、電源のＯＮ／ＯＦＦ操作が入力された場合には、ＯＮ／ＯＦＦ信号がテレビ５に発信される。また、テレビ操作が入力された場合には、番組出力指示信号がテレビ５に発信される。インターネット接続操作が入力された場合には、インターネット接続指示信号がテレビ５に発信される。コンテンツ再生操作が入力された場合には、コンテンツ再生指示信号がテレビ５に発信される。コンテンツ記録操作が入力された場合には、コンテンツ記録指示信号がテレビ５に発信される。その後、ステップｂ２５に移行する。
【００５９】
すなわち、ステップｂ２５では、制御部３６は、基本処理を終了するか否かを判定する。例えば、電源ＯＦＦが指示された場合には、本処理を終える（ステップｂ２５：Ｙｅｓ）。一方、終了しない場合には（ステップｂ２５：Ｎｏ）、ステップｂ１７に戻る。
【００６０】
次に、テレビ５が行う処理手順について説明する。図８は、テレビ５が行う基本処理の手順を示すフローチャートである。図８に示すように、テレビ５は、電波送受部５６を介してリモコン３からのＯＮ信号を受信すると起動処理を行い、電源を投入する（ステップｃ１）。そして、制御部５７は、起動処理の終了時に、電波送受部５６を介してリモコン３に起動完了を発信する（ステップｃ２）。
【００６１】
そして、リモコン３からの撮影画像のデータ信号を受信した場合には（ステップｃ３：Ｙｅｓ）、制御部５７は、放送番組の出力中か否かを判定する。放送番組の出力中であれば（ステップｃ４：Ｙｅｓ）、制御部５７は、例えば表示画面を放送番組用の画面と受信した撮影画像の撮影画像用の画面とに２分割して放送番組の出力と撮影画像の表示とを２画面表示する（ステップｃ５）。放送番組の出力はリアルタイムで行われているため、完全に撮影画像の撮影画像用の画面に切り換えるのは好ましくないためである。また、リモコン３から拡大表示指示信号を受信した場合には（ステップｃ７：Ｙｅｓ）、制御部５７は、撮影画像用の画面（図２を参照）を拡大し、表示画面全体を外部入力用の画面にして撮影画像を全画面表示する処理を行う（ステップｃ９）。その後、ステップｃ１７に移行する。
【００６２】
一方、リモコン３から撮影画像のデータを受信した際に放送番組の出力中でない場合には（ステップｃ４：Ｎｏ）、制御部５７は、受信した撮影画像を全画面表示する処理を行う（ステップｃ１１）。その後、ステップｃ１７に移行する。
【００６３】
一方、リモコン３からの制御信号を受信した場合には（ステップｃ１３：Ｙｅｓ）、制御部５７は、受信した制御信号に応じたテレビ５の動作制御を行う（ステップｃ１５）。その後、ステップｃ１７に移行する。例えば、電源切換信号であれば、制御部５７は、電源のＯＮ／ＯＦＦを切り換える。番組出力指示信号であれば、制御部５７は、チャンネルの切り換えや音量調節等の番組出力指示信号であれば、制御部５７は、指定されたチャンネルの放送番組を出力するための処理や音量を調節する処理を行う。インターネット接続指示信号であれば、制御部５７は、ネットワークＮを介してユーザが指定したサイトに接続するための処理を行う。コンテンツ再生指示信号であれば、制御部５７は、ユーザが指定したコンテンツデータを記録部５５から読み出して再生する処理を行う。コンテンツ記録指示信号であれば、制御部５７は、インターネット上で公開・提供されているコンテンツのデータや、ステップｃ３で受信した撮影画像のデータ等、指示されたデータを記録部５５に記録する処理を行う。
【００６４】
そして、ステップｃ１７では、制御部５７は、基本処理を終了するか否かを判定し、終了する場合には（ステップｃ１７：Ｙｅｓ）、本処理を終える。一方、終了しない場合には（ステップｃ１７：Ｎｏ）、ステップｃ３に戻る。
【００６５】
以上説明したように、本実施の形態によれば、デジタルカメラ１をリモコン３に近づけることによって、自動的にリモコン３の電源を投入し、リモコン３にテレビの電源を投入させることができる。そして、デジタルカメラ１において表示中の撮影画像を、リモコン３を介して順次テレビ５に送信し、テレビ５に表示させることができる。このとき、表示中の撮影画像を送信するので、誤って意図しない撮影画像をリモコン３に送信してしまうといった事態が生じない。また、リモコン３との近接無線通信によって画像データをテレビ５に転送させる構成とした。これによれば、離れた場所に設置されたテレビ５に対して簡単にデータを送信でき、且つデータ送信時におけるデジタルカメラ１の電力消費を低減することができるという効果を奏する。さらに、デジタルカメラ１は、撮影画像の送信時にのみ近接通信部１８を起動して通信信号を送出するので、近距離無線通信に伴う電力の消費をより低減させることができる。
【００６６】
ここで、近接通信部１８，３４間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている撮影画像の全部または一部を瞬時にリモコン３に送信することができる。
【００６７】
以上、この発明の好適な実施の形態について説明したが、この発明は、上記したものに限定されず、発明の趣旨を逸脱しない範囲で適宜変更が可能である。
【００６８】
図９は、変形例におけるリモコン３ａの主要内部構成を説明するブロック図である。図９に示すリモコン３ａは、操作部３１ａと、電波送受部３２ａと、近接通信部３４ａと、制御部３６ａと、信号変換部３７ａとを備える。本変形例のリモコン３ａでは、近接通信部３４ａを介してデジタルカメラ１ａから外部入力要求を受信すると、信号変換部３７ａが、続いて近接通信部３４ａを介してデジタルカメラ１ａから受信したデータを、電波発信部３２を介したデータの通信方式に従って信号変換するようになっており、その後、電波送受部３２ａを介してテレビ５ａに発信される。そして、この場合には、テレビ５ａの起動要求や、リモコン３ａによる撮影画像の転送タイミングの指示をデジタルカメラ１ａ側で行うようにし、リモコン３ａによって撮影画像を中継させてテレビ５ａに送信する構成とすることもできる。なお、ユーザが、リモコン操作によって外部入力指示操作を行った場合に、信号変換部３７ａが信号変換を行うようにしてもよい。また、信号変換部３７ａは、電波送受部３２ａを介してテレビ５ａからデータを受信した場合には、近接通信部３４ａを介したデータの通信方式に従って信号変換を行う。信号変換されたデータは、その後、近接通信部３４ａを介してデジタルカメラ１ａに送信される。
【００６９】
また、上記した実施の形態では、リモコンからテレビに対して制御信号を発信し、テレビはリモコンからの制御信号を受信する構成としたが、テレビからリモコンに対して電波を発信する構成としてもよい。この場合には、例えばテレビ側でインターネットに接続してダウンロードしたコンテンツデータ等のテレビに記録されているデータをリモコンによってデジタルカメラに転送する構成が実現できる。あるいは、デジタルカメラとリモコンとの間の通信が確立している状況下であれば、テレビからリモコンへと撮影画像等の送信要求を送信し、この送信要求をリモコンによってデジタルカメラに転送するといった構成も可能である。そして、これに応答してデジタルカメラがリモコンへと撮影画像を送信し、この撮影画像をリモコンによってテレビに転送する構成が実現できる。
【００７０】
また、テレビ５において、放送番組の視聴中にデジタルカメラ１との間で通信が確立し、デジタルカメラ１から送信されたデータを受信した場合に、放送番組の出力を中断して表示部５２を外部入力に切り換え、撮影画像を表示部５２に全画面表示することとしても構わない。また、ユーザ操作に従って放送番組の出力およびデジタルカメラ１からのデータの再生のどちらを優先するかについて設定できるようにしてもよい。そして、放送番組の出力を優先する設定がされたならば、放送番組の出力中にリモコン３を介してデジタルカメラ１からの撮影画像のデータを受信した場合であっても、受信したデータを再生しないようにしてもよい。また、例えば、ＶＯＤ（Video On Demand）サービスによって提供されるコンテンツの視聴中等のように、途中でコンテンツの出力を中断しても後でコンテンツの出力を再開できるような場合であれば、２画面表示せずに撮影画像を表示部５２に全画面表示することとしてもよい。
【００７１】
また、上記した実施の形態では、デジタルカメラ１は、リモコン３からテレビ５の起動完了が通知された場合に、表示中の撮影画像を切り換えて別の撮影画像を表示することとしたが、通信確立時に画像データをリモコンに送信し、その都度表示中の撮影画像を切り換えるようにしてもよい。この場合には、デジタルカメラの制御部は、表示制御部として、送信制御部が撮影画像をリモコンに送信した後に、表示中の撮影画像を例えば撮影日時が次順の別の撮影画像に切り換えて表示（再生）する処理を行う。一方、リモコン３側では、テレビが起動処理中でデータの受信を受け付ける状態にない場合には、デジタルカメラ１から送信される撮影画像を蓄積しておき、テレビ５が起動処理を終えた後で、蓄積しておいた撮影画像を順次テレビ５に送信することとしてもよい。これによれば、ユーザは、デジタルカメラ１をリモコン３に近づけるだけで、デジタルカメラ１において表示中の撮影画像をリモコン３に送信し、この表示中の撮影画像を別の撮影画像に切り換えて鑑賞することができる。
【００７２】
また、上記した実施の形態では、デジタルカメラ１が撮影画像をリサイズ処理してリモコン３に送信することとしたが、リモコン３が撮影画像のリサイズ処理を行う構成としてもよい。
【００７３】
また、上記した実施の形態では、携帯機器としてデジタルカメラを例に挙げて説明したが、デジタルカメラに限らず、例えば携帯電話機や携帯型のゲーム機、ノートパソコン、携帯型の音楽プレーヤ等、他の機器との間でデータの送受が可能な各種の携帯機器に適用できる。例えば、携帯機器を携帯型の音楽プレーヤに適用して音楽データを送受する場合に適用可能である。
【００７４】
また、上記した実施の形態では、コンテンツデータの一例として撮影画像を送受する場合について説明したが、前述の音楽データや音声データ等の音データをコンテンツデータとして送受する場合にも同様に適用できる。
【００７５】
また、テレビ５に記録されているコンテンツデータをリモコン３を介してデジタルカメラ１に送信するようにしてもよい。すなわち、テレビ５が例えばインターネットに接続してダウンロードしたコンテンツデータ等のテレビ５に記録されているコンテンツデータを、リモコンによってデジタルカメラに転送することも可能である。
【００７６】
また、リモコンは、電波リモコンに限らず、赤外線信号を発信して制御対象の機器を遠隔制御するリモコンであってもよい。
【００７７】
また、デジタルカメラ１の表示部１５にタッチパネルを設けた構成としてもよく、このタッチ操作やスライド操作で表示中の撮影画像を切り換えるようにしてもよい。
【図面の簡単な説明】
【００７８】
【図１】画像送信システムの全体構成を示す概略模式図である。
【図２】デジタルカメラからテレビへとリモコンを介してデータを送信する様子を示す図である。
【図３】デジタルカメラ、リモコンおよびテレビの動作を説明する説明図である。
【図４】画像送信システムで行われる通信の概要を説明する図である。
【図５】デジタルカメラ、リモコンおよびテレビの主要内部構成の一例を示すブロック図である。
【図６】デジタルカメラが行う基本処理の手順を示すフローチャートである。
【図７】リモコンが行う基本処理の手順を示すフローチャートである。
【図８】テレビが行う基本処理の手順を示すフローチャートである。
【図９】変形例におけるリモコンの主要内部構成を説明するブロック図である。
【符号の説明】
【００７９】
１      デジタルカメラ
１２      撮像部
１３      画像処理部
１３１      リサイズ部
１４      操作部
１５      表示部
１６      記録部
１７      時計部
１８      近接通信部
１９      制御部
１９１      通信信号送出制御部
１９３      表示制御部
３      リモコン
３１      操作部
３２      電波発信部
３３      記録部
３４      近接通信部
３４１      起動部
３５      振動検出部
３６      制御部
３６１      転送制御部
５      テレビ
５１      操作部
５２      表示部
５３      放送受信部
５４      通信部
５５      記録部
５６      電波発信部
５７      制御部
【図１】
2010045684.tif 000003
【図２】
2010045684.tif 000004
【図３】
2010045684.tif 000005
【図４】
2010045684.tif 000006
【図５】
2010045684.tif 000007
【図６】
2010045684.tif 000008
【図７】
2010045684.tif 000009
【図８】
2010045684.tif 000010
【図９】
2010045684.tif 000011